(57)【要約】【課題】刈払機において、衝撃に対する強度を確保しながら、カッタユニットの軽量化を達成する。【解決手段】刈払機は、前端部と後端部を有する棒状体を呈する支持棹と、刈払いのための回転刃およびモータを含み支持棹の前端部に配設されたカッタユニットと、回転刃およびモータを制御するための制御回路を含み支持棹の後端部に配設されたコントローラユニットと、作業者が使用時に把持するために支持棹に配設されたハンドルとを備えて構成される。カッタユニットは、内部にモータを収容し、下面外部に回転刃を保持し、後方上部に支持棹を接続するためのハウジングを有し、ハウジングは、板状の壁面から内部に向かって突出する複数の線状リブが互いに交差して設けられた繊維強化樹脂で形成されている。【選択図】図２
2014117259.tif 000002
【特許請求の範囲】
【請求項１】
前端部と後端部を有する棒状体を呈する支持棹と、
刈払いのための回転刃およびモータを含み前記支持棹の前記前端部に配設されたカッタユニットと、
前記回転刃およびモータを制御するための制御回路を含み前記支持棹の前記後端部に配設されたコントローラユニットと、
作業者が使用時に把持するために前記支持棹に配設されたハンドルと
を備えてなり、
前記カッタユニットは、内部に前記モータを収容し、下面外部に前記回転刃を回転可能に保持するとともに、前記支持棹を接続するためのハウジングを有し、
前記ハウジングは、板状の壁面から内部に向かって突出する複数の線状リブが形成されており、前記各リブの高さが０．５〜１０ｍｍであり、前記リブの隣り合う間隔が３〜２０ｍｍであり、当該リブが設けられている領域の面積は前記ハウジングの壁面の面積の２０％〜８０％である、
ことを特徴とする刈払機。
【請求項２】
請求項１に記載の刈払機において、
前記複数の線状リブが互いに交差して設けられており、
前記リブの交差点の密度が０．２５個／ｃｍ2 〜１１．１個／ｃｍ2 である
ことを特徴とする刈払機。
【請求項３】
請求項２に記載の刈払機において、
前記リブの交差点の密度が０．６９個／ｃｍ2 〜４．０個／ｃｍ2 である
ことを特徴とする刈払機。
【請求項４】
請求項１〜３のいずれか１項に記載の刈払機において、
前記リブは、前記ハウジングの前記支持棹を接続する部分から前記モータを収容する部分の手前までの前記ハウジングの壁面を含む領域に設けられており、
前記ハウジングの前記リブが設けられた部分で前記支持棹の前端部が前記ハウジングに挟み込まれて接続されている
ことを特徴とする刈払機。
【請求項５】
請求項１〜４のいずれか１項に記載の刈払機において、
前記ハウジングの前記リブが設けられた領域の壁面の厚さおよび前記リブの厚さが２〜４ｍｍである
ことを特徴とする刈払機。
【請求項６】
請求項１〜５のいずれか１項に記載の刈払機において、
前記リブの隣り合う間隔が５〜１２ｍｍである
ことを特徴とする刈払機。
【請求項７】
請求項１〜６のいずれか１項に記載の刈払機において、
前記ハウジングが繊維強化樹脂で形成されており、
前記繊維強化樹脂がガラス繊維３０％含有のポリカーボネート樹脂である
ことを特徴とする刈払機。
【発明の詳細な説明】
【技術分野】
【０００１】
この発明は、草刈機、芝刈機など、刈払機に関し、特に、支持棹の前端に草刈りなどのための回転刃およびモータを含むカッタユニットを備え、支持棹の所定位置に制御回路を含むコントローラユニットを備え、支持棹の所定位置に作業者が使用時に刈払機を把持するためのハンドルを備えてなる刈払機に関し、モータを収容するカッタユニットのハウジングを軽量にしてかつ所望の強度を持たせるように工夫したものである。
【背景技術】
【０００２】
公園や土手の雑草、庭の芝生などを刈り払うための刈払機として、前端にカッタユニットが配設され後端にコントローラユニットが配設された支持棹を、支持棹の後端寄りの途中位置に配設されたハンドルを両手で持って小脇に抱えて、カッタユニットの回転刃を地面に沿って前後左右に移動させながら、そこに生えている雑草や芝を刈り払うタイプのものが存在する。したがって、前端部のカッタユニットが重いと、作業がしにくいし、作業者が疲れるという難点がある。カッタユニットは、刈払い作業中に石や木など地面上の障害物に衝突することがあることを考慮して、一般にカッタユニットのハウジングは、衝撃強度の関係で、金属製のものが多く、ハウジング自体がそれなりの重さを有していた。また、回転刃を駆動するためのモータをカッタユニット内に収納したタイプの刈払機の場合、モータの重量が加わるので、カッタユニットがさらに重いものになっていた。また、軽くしようとして、樹脂製とするにしても、強度を持たせるためには、厚さを確保する必要があり、軽くするという観点からは、不十分であった。
【先行技術文献】
【特許文献】
【０００３】
【特許文献１】実開平０１−１４６８２２号公報
【発明の概要】
【発明が解決しようとする課題】
【０００４】
この発明は、カッタユニットの軽量化を達成しながら衝撃に対する強度を確保した刈払機を提供することを目的とする。
【課題を解決するための手段】
【０００５】
上記の課題を解決するために、この発明による刈払機は、前端部と後端部を有する棒状体を呈する支持棹と、刈払いのための回転刃およびモータを含み支持棹の前端部に配設されたカッタユニットと、回転刃およびモータを制御するための制御回路を含み支持棹の後端部に配設されたコントローラユニットと、作業者が使用時に把持するために前記支持棹に配設されたハンドルとを備えてなり、前記カッタユニットは、内部にモータを収容し、下面外部に回転刃を回転可能に保持するとともに、支持棹を接続するためのハウジングを有し、当該ハウジングは、板状の壁面から内部に向かって突出する複数の線状リブが形成されており、当該各リブの高さが０．５〜１０ｍｍであり、リブの隣り合う間隔が３〜２０ｍｍであり、リブが設けられている領域の面積はハウジングの壁面の面積の２０％〜８０％である、ことを特徴とする。
【０００６】
この発明の刈払機では、複数の線状リブが互いに交差して設けられており、リブの交差点の密度は、０．２５個／ｃｍ2 〜１１．１個／ｃｍ2 であると、軽量化しかつ強度を確保するという観点で、より好適である。
【０００７】
この発明の刈払機では、前記リブの交差点の密度は、０．６９個／ｃｍ2 〜４．０個／ｃｍ2 であると、軽量化しかつ強度を確保するという観点で、特に好適である。
【０００８】
この発明の刈払機では、前記リブは、ハウジングの支持棹を接続する部分からモータを収容する部分の手前までのハウジングの壁面を含む領域に設けられて、ハウジングの前記リブが設けられた部分で支持棹の前端部がハウジングに挟み込まれて接続される構造にすると、軽量化しかつ強度を確保するという観点で、より好適である。
【０００９】
この発明の刈払機では、前記ハウジングの前記リブが設けられた領域の壁面の厚さおよび前記リブの厚さは、２〜４ｍｍであると、軽量化しかつ強度を確保するという観点で、より好適である。
【００１０】
この発明の刈払機では、前記リブの隣り合う間隔は、５〜１２ｍｍであると、軽量化しかつ強度を確保するという観点で、より好適である。
【００１１】
この発明の刈払機では、前記ハウジングは繊維強化樹脂で形成され、当該繊維強化樹脂がガラス繊維３０％含有のポリカーボネート樹脂であると、軽量化しかつ強度を確保するという観点で、より好適である。
【発明の効果】
【００１２】
この発明によれば、刈払機のカッタユニットのハウジングを、板状の壁面から内部に向かって突出する複数の線状リブを設けて形成し、線状リブの高さ、配置間隔、交差点の密度、リブ形成領域の位置および面積割合を最適に選定したので、カッタユニットの軽量化を達成しながら衝撃に対する強度を確保することができ、刈払い作業に好適な刈払機が提供される。
【図面の簡単な説明】
【００１３】
【図１】この発明の一実施形態による刈払機の全体の外観を示す斜視図である。
【図２】この発明の一実施形態による刈払機のカッタユニットのハウジングを左右二つ割りで成型した場合の、右半分のハウジング体を内側から見た側面図である。
【図３】図２のハウジング体のＡ−Ａ線から見た断面図である。
【発明を実施するための形態】
【００１４】
以下に、この発明による刈払機の実施形態を、図面を参照しながら説明する。この発明の実施形態による刈払機は、その全体像は、図１に示すような外観を呈するものであり、支持棹１の前端にカッタユニット２が配設され、支持棹１の後端にコントローラユニット３が配設され、支持棹１の中程の後端寄りの位置にハンドル４が配設されて構成されており、ハンドル４を両手で持って支持棹１を小脇に抱えて、カッタユニット２の回転刃２１を地面に沿って前後左右に移動させながら、そこに生えている雑草や芝を刈り払うものである。
【００１５】
この発明の実施形態による刈払機では、カッタユニット２は、そのハウジング内に駆動用のモータおよび減速歯車を収容し、モータにより減速歯車を介して駆動される回転刃２１を下面外部に露出させて回転可能に保持しており、コントローラユニット３は、交換可能なバッテリ３１を取り付けて、制御操作子３２により作業者が行う制御に応じて内部に設けた制御回路を介してバッテリ３１の電力をカッタユニット２のモータに供給することにより、刈払機が運転される。
【００１６】
この発明の実施形態による刈払機では、カッタユニット２のハウジング２０は、ガラス繊維３０％強化ポリカーボネート樹脂（ＰＣ−ＧＦ３０）で板状の外殻として左右二つ割りの形に成型されており、右半分のハウジング体を内側から見て図２に示すように、その内部にモータ２２および減速歯車２３を収容し、回転刃２１を下面外部に回転可能に保持している。ハウジング２０は、その後方上部（図２では、右上部分）に支持棹１が接続されていて、その支持棹１を接続する部分２０ａからモータを収容する部分２０ｂまでの間の領域において、図３の断面図（図２のＡ−Ａ視）に示すように、板状の壁面２０ｗから内部に向かって起立突出する複数の線状のリブ２０ｒが一体に形成されている。ハウジング２０の衝撃強度と重量との兼合いの観点から、リブ２０ｒの高さは、０．５〜１０ｍｍが適当であり、図示の例では、高さが４ｍｍ、幅（厚さ）が２ｍｍである。ハウジング体の壁面２０ｗの厚さは、２〜４ｍｍが適当であり、図示の例では、厚さが３ｍｍである。また、リブ２０ｒ同士の間隔は、３〜２０ｍｍが適当であり、中でも５〜１２ｍｍが特に好適であり、図示の例では、間隔が７ｍｍである。また、リブ２０ｒは、互いに交差して設けられており、交差点２０ｘの数は、０．２５個／ｃｍ2 〜１１．１個／ｃｍ2 が適当であり、中でも０．６９個／ｃｍ2 〜４．０個／ｃｍ2 が特に好適であり、図示の例では、２個／ｃｍ2 である。リブ２０ｒを設けるハウジング体の部分は、それぞれ半分のハウジング体の内部表面積の２０％〜８０％の領域の部分とする。
【００１７】
さらに、ハウジング２０の支持棹１を接続する部分２０ａとモータを収容する部分２０ｂの間の下面側の外殻をなす壁面には、図２の断面図に示すように、水抜き孔２０ｃ、２０ｄが形成されていて、支持棹１などを伝って水が進入した場合に、その水が内部に溜まってモータ２２や減速歯車２３などに悪影響を与えないように、水が外部に抜ける構造となっている。
【００１８】
以上説明したように、この発明の刈払機によれば、刈払機のカッタユニットのハウジングを、ハウジングの壁面から好適な寸法のリブを好適な密度で一体に起立させて設けて形成したことにより、カッタユニットの衝撃強度を確保しながら重量を低減することができ、刈払機の耐久性を維持しながら刈払機を使用する作業者の疲労を軽減することができるという効果が得られる。特に、ハウジングを繊維強化樹脂で形成した場合に、その効果が顕著に得られる。
【符号の説明】
【００１９】
１…支持棹、２…カッタユニット、３…コントローラユニット、２０…ハウジング、２０ｒ…リブ、２１…回転刃。
【図１】
2014117259.tif 000003
【図２】
2014117259.tif 000004
【図３】
2014117259.tif 000005